(57)【要約】      （修正有）【課題】ボディと複数の端子と一対の金具とを備える基板間コネクタ及び基板間コネクタアセンブリを提供する。【解決手段】収容凹部を有するボディと、前記ボディに配置される複数の端子であって、各前記端子の一部は、前記収容凹部に延伸する複数の端子と、前記ボディに配置される一対の金具であって、前記端子が前記一対の金具の間に位置する状態で前記収容凹部の横に位置し、各前記金具は、前記収容凹部に延伸する少なくとも１つの規制部を備え、前記規制部は、前記収容凹部の角部に対して傾斜し、それによって前記金具及び前記ボディが２次元的な規制を発揮する一対の金具と、を備える。【選択図】図１
0003224643.tif 000002
【実用新案登録請求の範囲】
【請求項１】
収容凹部を有するボディと、
前記ボディに配置される複数の端子であって、各前記端子の一部は、前記収容凹部に延伸する複数の端子と、
前記ボディに配置される一対の金具であって、前記端子が前記一対の金具の間に位置する状態で前記収容凹部の横に位置し、各前記金具は、前記収容凹部に延伸する少なくとも１つの規制部を備え、前記規制部は、前記収容凹部の角部に対して傾斜し、それによって前記金具及び前記ボディが２次元的な規制を発揮する一対の金具と、
を備えることを特徴とする基板間コネクタ。
【請求項２】
前記基板間コネクタは、レセプタクルコネクタであり、前記ボディは、さらに、島構造を有し、前記収容凹部は、前記島構造を包囲し、各前記金具は、それぞれ、前記収容凹部の２つの隣接する角部に位置し、前記収容凹部にわたる前記島構造に対応する一対の規制部を備える、ことを特徴とする請求項１に記載の基板間コネクタ。
【請求項３】
各前記金具は、側板と、前記側板から延伸する一対の翼板と、を備え、前記規制部は、前記側板と前記翼板のうちの１つとの間に位置する、ことを特徴とする請求項１に記載の基板間コネクタ。
【請求項４】
各前記金具は、さらに、一対の上板を備え、
前記一対の上板は、それぞれ、前記側板と前記一対の翼板との間に接続され、前記一対の上板と前記一対の翼板とは、それぞれ、異なる平面上に位置し、前記平面は、互いに直交する、
ことを特徴とする請求項３に記載の基板間コネクタ。
【請求項５】
前記規制部は、前記上板から前記収容凹部に延伸し、前記ボディをロックする、ことを特徴とする請求項４に記載の基板間コネクタ。
【請求項６】
各前記金具は、さらに、一対の第１の導電部と、第２の導電部と、を備え、前記一対の第１の導電部は、互いに同一軸上にあり、対向しており、前記軸上の前記第２の導電部の正射影は、前記一対の導電部の間に位置する、ことを特徴とする請求項１に記載の基板間コネクタ。
【請求項７】
前記規制部は、前記第２の導電部と前記一対の第１の導電部のうちの１つとの間に位置する、ことを特徴とする請求項６に記載の基板間コネクタ。
【請求項８】
各前記金具は、側板と、前記側板から延伸する一対の翼板と、を備え、前記一対の第１の導電部は、それぞれ、前記一対の翼板から前記収容凹部に延伸し、前記第２の導電部は、前記側板から前記収容凹部に延伸する、ことを特徴とする請求項６に記載の基板間コネクタ。
【請求項９】
各前記金具は、さらに、一対の上板を備え、前記一対の上板は、それぞれ、前記側板と前記一対の翼板との間に接続され、前記規制部は、前記上板から前記収容凹部に延伸し、前記ボディをロックする、ことを特徴とする請求項８に記載の基板間コネクタ。
【請求項１０】
前記一対の第１の導電部は及び前記第２の導電部は、同一平面上に位置する、ことを特徴とする請求項６に記載の基板間コネクタ。
【請求項１１】
各前記金具は、前記金具及び前記ボディの固定強度を増すよう、前記ボディを貫通する少なくとも１のスパイクを備える、ことを特徴とする請求項１に記載の基板間コネクタ。
【請求項１２】
各前記金具は、側板と、前記側板から延伸する一対の翼板と、を備え、前記側板と前記一対の翼板とは、それぞれ、前記ボディの３つの隣接する辺に前記側板と前記一対の翼板とを組み付ける少なくとも１つのスパイクを備える、ことを特徴とする請求項１１に記載の基板間コネクタ。
【請求項１３】
レセプタクルコネクタであって、
収容凹部を有する第１のボディと、
前記第１のボディに配置される複数の第１の端子と、
前記第１のボディに配置される一対の第１の金具であって、前記第１の端子が前記一対の第１の金具の間に位置し、各前記第１の金具は、前記収容凹部に延伸し、その上に吊るされる一対の第１の導電部と第２の導電部と、を備え、複数のフレキシブル部を形成する一対の第１の金具と、
を備えるレセプタクルコネクタと、
プラグコネクタであって、
第２のボディと、
前記第２のボディに配置される複数の第２の端子と、
前記第２のボディに配置される一対の第２の金具であって、前記第２の端子が前記一対の第２の金具の間に位置し、各前記第２の金具は、前記第２のボディの外側側面に固定的に埋め込まれる一対の第３の導電部と第４の導電部と、を備える一対の第２の金具と、
を備えるプラグコネクタと、を備え、
前記プラグコネクタは、前記レセプタクルコネクタに結合されるよう適用され、それによって前記一対の第３の導電部が、それぞれ、前記第１の導電部のフレキシブル部に当接して変形させ、前記第４の導電部が前記第２の導電部のフレキシブル部に当接して変形させる、
ことを特徴とする基板間コネクタアセンブリ。
【請求項１４】
前記一対の第１の金具及び前記一対の第２の金具は、それぞれ、前記第１のボディ及び前記第２のボディの少なくとも１の角部に対して傾斜する少なくとも１つの規制部を備える、ことを特徴とする請求項１３に記載の基板間コネクタアセンブリ。
【請求項１５】
前記第１のボディは、さらに、島構造を有し、前記収容凹部は、前記島構造を包囲して複数の角部を形成し、各前記第１の金具は、それぞれが前記収容凹部の２つの隣接する角部に位置し、前記収容凹部にわたる前記島構造に対応する一対の規制部を備える、ことを特徴とする請求項１４に記載の基板間コネクタアセンブリ。
【請求項１６】
前記第１の金具及び前記一対の第２の金具は、それぞれ、側板と、前記側板から延伸する一対の翼板と、を備え、前記規制部は、前記側板と前記翼板のうちの１つとの間に位置する、ことを特徴とする請求項１４に記載の基板間コネクタアセンブリ。
【請求項１７】
前記第１の金具は、さらに、一対の上板を備え、前記一対の上板は、それぞれ、前記側板と前記一対の翼板との間に接続され、前記側板と、前記１ペアの上板と、前記１ペアの翼板とは、それぞれ、異なる平面上に位置し、前記平面は互いに直交する、ことを特徴とする請求項１６に記載の基板間コネクタアセンブリ。
【請求項１８】
前記規制部は、前記上板から前記収容凹部に延伸して前記第１のボディをロックする、ことを特徴とする請求項１７に記載の基板間コネクタアセンブリ。
【請求項１９】
前記一対の翼板は、前記一対の第３の導電部を形成し、前記側板は、前記第４の導電部を形成する、ことを特徴とする請求項１６に記載の基板間コネクタアセンブリ。
【請求項２０】
前記一対の第１の導電部は、それぞれ、前記一対の翼板から前記収容凹部に延伸し、前記第２の導電部は、前記側板から前記収容凹部に延伸する、ことを特徴とする請求項１６に記載の基板間コネクタアセンブリ。
【請求項２１】
前記第１の導電部及び前記一対の第３の導電部とは、同軸上に位置し、前記軸上の前記第２の導電部及び前記第４の導電部の正射影は、前記プラグコネクタが前記レセプタクルコネクタに結合された際に、前記一対の第１の導電部と前記一対の第３の導電部との間に位置する、ことを特徴とする請求項１３に記載の基板間コネクタアセンブリ。
【請求項２２】
前記一対の第１の導電部と、前記第２の導電部と、前記一対の第３の導電部と、前記第４の導電部とは、前記プラグコネクタが前記レセプタクルコネクタに結合された際に同一平面上に位置する、ことを特徴とする請求項１３に記載の基板間コネクタアセンブリ。
【請求項２３】
各前記第１の金具は、前記第１のボディに対する前記第１の金具の固定強度を増加させるように、前記第１のボディを貫通する少なくとも１つのスパイクを備える、ことを特徴とする請求項１３に記載の基板間コネクタアセンブリ。
【請求項２４】
前記一対の第１の金具は、それぞれ、側板と、前記側板から延伸する一対の翼板と、を備え、前記側板及び前記一対の翼板は、それぞれ、前記第１のボディの３つの隣接する角部に前記側板及び前記一対の翼板を組み付けるための少なくとも１つのスパイクを備える、ことを特徴とする請求項２３に記載の基板間コネクタアセンブリ。
【考案の詳細な説明】
【技術分野】
【０００１】
本開示は、コネクタに関し、より具体的には、基板間コネクタ及び基板間コネクタアセンブリに関する。
【背景技術】
【０００２】
基板間コネクタは、異なる回路基板を、異なる回路基板にそれぞれ設けられたレセプタクルコネクタ及びプラグコネクタを介して接続するために用いられる。スマ−トフォン等のモバイルデバイスにおいては、基板間コネクタアセンブリのサイズは非常に小さく、これは、構造的強度を弱め、各コネクタの耐用年数を低下させる。更に、ある使用環境においては、充電またはメッセ−ジ伝送を容易とするために、装置内の電子モジュ−ルには、大電流伝送が求められており、基板間コネクタの仕様についての要求も増大している。
【考案の概要】
【考案が解決しようとする課題】
【０００３】
その結果、どのように基板間コネクタの構造的強度を改善し、大電流伝送における関連する仕様と一致するようにさせるかが関連分野における技術者が考慮及び解決すべき課題となる。
【０００４】
以上の課題を鑑み、本開示は、より良好な構造安定性を提供し、大電流伝送に適するようにする基板間コネクタ及び基板間コネクタアセンブリを提供する。
【課題を解決するための手段】
【０００５】
本開示の基板間コネクタは、ボディと、複数の端子と、一対の金具と、を備える。ボディは、収容凹部を有する。端子は、ボディに配置され、各端子の一部は、収容凹部に延伸する。金具は、ボディに、収容凹部の横に配置される。端子は、金具の間に位置する。各金具は、収容凹部に延伸する少なくとも１つの規制部を備える。規制部は、収容凹部の角部に対して傾斜し、それにより、金具及びボディは、２次元的な規制を発揮する。
【０００６】
本開示の基板間コネクタアセンブリは、レセプタクルコネクタと、プラグコネクタと、を備える。レセプタクルコネクタは、第１のボディと、複数の第１の端子と、一対の第１の金具と、を備える。第１のボディは、収容凹部を有する。第１の端子は、第１のボディに配置される。第１の金具は、第１のボディに配置される。第１の端子は、第１の金具の間に位置する。各第１の金具は、一対の導電部と、収容凹部に延伸し、その上に吊るされる、第２の導電部と、を備え、複数のフレキシブル部を形成する。プラグコネクタは、第２のボディと、複数の第２の端子と、一対の第２の金具と、を備える。第２の端子は、第２のボディに配置される。第２の金具は、第２のボディに配置され、第２の端子は、第２の金具の間に位置する。各第２の金具は、第２のボディの外側側面に固定的に埋め込まれる一対の第３の導電部及び第４の導電部、を備える。プラグコネクタ及びレセプタクルコネクタは、第３の導電部がそれぞれ第１の導電部のフレキシブル部に当接して変形させ、第４の導電部が第２の導電部のフレキシブル部に当接して変形させるように、結合される。
【０００７】
本開示の一つの実施の形態においては、基板間コネクタは、レセプタクルコネクタである。ボディは、さらに、島構造を有する。収容凹部は、島構造を包囲する。各金具は、収容凹部の２つの隣接する角部にそれぞれ位置する一対の規制部を備え、収容凹部反対側の島構造に対応する。
【０００８】
本開示の一つの実施の形態においては、各金具は、側板と、側板から延伸する一対の翼板と、を備え、規制部は、側板と翼板のうちの１つとの間に位置する。
【０００９】
本開示の一つの実施の形態においては、各金具は、さらに、一対の上板を備え、一対の上板は、それぞれ、側板と一対の翼板との間に接続される。側板、上板、及び翼板は、それぞれ、異なる平面上に位置し、平面は、互いに直交する。
【００１０】
本開示の一つの実施の形態においては、規制部は、上板から収容凹部に延伸し、ボディをロックする。
【００１１】
本開示の一つの実施の形態においては、各金具は、さらに、一対の第１の導電部と、第２の導電部と、を備え、第１の導電部は、互いに同一軸上にあり、対向しており、軸上の前記第２の導電部の正射影は、一対の第１の導電部の間に位置する。
【００１２】
本開示の一つの実施の形態においては、規制部は、第２の導電部と第１の導電部のうちの１つとの間に位置する。
【００１３】
本開示の一つの実施の形態においては、各金具は、側板と、側板から延伸する一対の翼板と、を備える。第１の導電部は、それぞれ、翼板から収容凹部に延伸し、第２の導電部は、側板から収容凹部に延伸する。
【００１４】
本開示の一つの実施の形態においては、各前記金具は、さらに、一対の上板を備え、一対の上板は、それぞれ、側板と翼板との間に接続される。規制部は、上板から収容凹部に延伸し、ボディをロックする。
【００１５】
本開示の一つの実施の形態においては、第１の導電部及び第２の導電部は、同一平面上に位置する。
【００１６】
本開示の一つの実施の形態においては、各金具は、ボディを貫通する少なくとも１のスパイクを備え、金具及びボディの固定強度を増加させる。
【００１７】
本開示の一つの実施の形態においては、各金具は、側板と、側板から延伸する一対の翼板と、を備える。側板及び翼板は、それぞれ、ボディの３つの隣接する辺に側板及び翼板を組み付けるスパイクを備える。
【００１８】
本開示の一つの実施の形態においては、第１の金具及び第２の金具は、それぞれ、第１のボディ及び第２のボディの少なくとも１つの角部に対して傾斜する少なくとも１つの規制部を備える。
【００１９】
本開示の一つの実施の形態においては、第１のボディは、さらに、島構造を有する。収容凹部は、島構造を包囲し、複数の角部を形成する。各第１の金具は、それぞれ、収容凹部の２つの隣接する角に位置し、収容凹部をわたる島構造に対応する一対の規制部を備える。
【００２０】
本開示の一つの実施の形態においては、第１の金具及び第２の金具は、それぞれ、側板と、側板から延伸する一対の翼板と、を備える。規制部は、側板と翼板のうちの１つとの間に位置する。
【００２１】
本開示の一つの実施の形態においては、第１の金具は、さらに、一対の上板を備え、一対の上板は、それぞれ、側板と翼板との間に接続される。側板、上板、及び翼板は、それぞれ、異なる平面上に位置し、平面は互いに直交する。
【００２２】
本開示の一つの実施の形態においては、規制部は、上板から収容凹部に延伸し、第１のボディをロックする。
【００２３】
本開示の一つの実施の形態においては、翼板は、第３の導電部を形成し、側板は、第４の導電部を形成する。
【００２４】
本開示の一つの実施の形態においては、第１の導電部は、それぞれ、翼板から収容凹部に延伸し、第２の導電部は、側板から収容凹部に延伸する。
【００２５】
本開示の一つの実施の形態においては、第１の導電部及び第３の導電部は、同軸上に位置し、軸上の第２の導電部及び第４の導電部の正射影は、プラグコネクタがレセプタクルコネクタに結合された際に、第１の導電部と第３の導電部との間に位置する。
【００２６】
本開示の一つの実施の形態においては、第１の導電部、第２の導電部、第３の導電部、第４の導電部は、プラグコネクタがレセプタクルコネクタに結合された際に同一平面上に位置する。
【００２７】
本開示の一つの実施の形態においては、各第１の金具は、ボディを貫通する少なくとも１つのスパイクを備え、第１のボディ及び第１の金具の固定強度を増加させる。
【００２８】
本開示の一つの実施の形態においては、一対の第１の金具は、それぞれ、側板と、側板から延伸する一対の翼板と、を備える。側板及び一対の翼板は、それぞれ、第１のボディの３つの隣接する角部に側板及び翼板を組み付けるためのスパイクを備える。
【００２９】
以上より、基板間コネクタは、ボディと、複数の端子と、一対の金具と、を備え、ボディは、別の基板間コネクタとの結合を容易とするように、収容凹部を有する。各金具は、ボディに配置され、収容凹部の横に位置し、各金具は、収容凹部に延伸する少なくとも１つの規制部を備える。収容凹部の角部に対して規制部を設置及び傾斜させることで、規制部は、収容凹部の異なる２つの内壁に対して実質的に傾斜し、それにより、金具及びボディは２次元的な規制を発揮する。
【００３０】
換言すると、ボディに金具が組み付けられた後、ボディに対する金具の組み付けの構造的強度は、２次元的な規制を介して向上し得る。また、金具は、ボディに対してより安定して配置され、それによって基板間コネクタの構造的強度及び耐用年数を効果的に向上できる。
【００３１】
本開示の詳細な特徴及び利点について、実施の形態において説明し、これは、当業者が本開示の技術的内容及びその実施に関して十分に理解できるようにするものである。本開示の詳細な説明、特許請求の範囲並びに図面によれば、当業者は、本開示の目的及び利点を容易に理解可能である。
【図面の簡単な説明】
【００３２】
【図１】本開示の実施の形態に係るコネクタアセンブリの組み付けについての概略図である。
【００３３】
【図２】別の視点からの図１のコネクタアセンブリを示す。
【００３４】
【図３】コネクタアセンブリのレセプタクルコネクタの部材の一部の分解図を示す。
【００３５】
【図４】図１のレセプタクルコネクタの局部的な断面図である。
【００３６】
【図５】図１のレセプタクルコネクタの局部的な断面図である。
【００３７】
【図６】コネクタアセンブリのプラグコネクタの部材の一部の分解図を示す。
【００３８】
【図７】プラグコネクタ及びレセプタクルコネクタの局部的な断面図を示す。
【考案を実施するための形態】
【００３９】
図１は、本開示の実施の形態に係るコネクタアセンブリの組み付けについての概略図である。図２は、別の視点からの図１のコネクタアセンブリを示す。ここで、図面において、部材に関する説明を容易とするため、直交座標系Ｘ−Ｙ−Ｚを適用する。図１及び図２を参照すると、本開示の実施の形態においては、コネクタアセンブリ１０は、互いに（基板間で）結合されるように適用されるレセプタクルコネクタ１００及びプラグコネクタ２００を備える基板間コネクタアセンブリである。ここで、レセプタクルコネクタ１００は、回路基板３００（例えば、ＦＰＣ）に配置されるように適用され、プラグコネクタ２００は、回路基板４００（例えば、ＦＰＣ）に配置されるように適用される。結合されたレセプタクルコネクタ１００及びプラグコネクタ２００は、電流、信号等を回路基板３００、レセプタクルコネクタ１００、プラグコネクタ２００、及び回路基板４００を介して伝送することで、異なる電子モジュ−ル（図示せず）が電気的接続を達成するように構成される。
【００４０】
図３は、コネクタアセンブリのレセプタクルコネクタの部材の一部の分解図を示す。図３を参照すると、本開示の実施の形態においては、レセプタクルコネクタ１００は、電気的な絶縁性を有する第１のボディ１１０と、複数の第１の端子１３０と、一対の第１の金具１２０Ａ及び１２０Ｂと、を備え、第１のボディ１１０は、収容凹部１１１及び島構造１１５を備える。収容凹部１１１は、島構造１１５を包囲する。第１の端子１３０は、第１のボディ１１０上に配置され、それらの接触端は、島構造１１５から収容凹部１１１まで延伸して、フレキシブル部を形成する。第１の金具１２０Ａ及び１２０Ｂは、第１のボディ１１０上に配置され、第１の端子１３０が第１の金具１２０Ａ及び１２０Ｂの間に位置するように、収容凹部１１１の横に位置する。
【００４１】
第１の金具１２０Ａ及び１２０Ｂは同一の構造を採用するので、これらを同一の参照番号で示す。本開示の実施の形態においては、第１の金具１２０Ａ及び１２０Ｂは、それぞれ、収容凹部１１１まで延伸する規制部Ａ４及びＡ５を有する。規制部Ａ４及びＡ５は、収容凹部１１１の角部１１１ａ及び１１１ｂに対して傾斜し、これにより、第１の金具１２０Ａ及び１２０Ｂ並びに第１のボディ１１０が２次元的な規制を発揮する。図３に示すように、収容凹部１１１は、島構造１１５を囲み、長方形の溝を形成し、これにより、角部１１１ａ及び１１１ｂが形成される。規制部Ａ４及びＡ５は、実質的に、及び、それぞれ、収容凹部１１１の隣接した２つの角部１１１ａ及び１１１ｂに位置し、収容凹部１１１をわたる島構造１１５に対応する。第１の金具１２０Ａ及び１２０Ｂは、それぞれ、一対の規制部Ａ４及びＡ５を有する。第１のボディ１１０に組み立てられた後、規制部Ａ５は、実質的に角部１１１ｂに対して傾斜し、つまり、同時に収容凹部１１１の２つの隣接した内側側壁に対して傾斜する（図３における直交座標系Ｘ−Ｙ−Ｚに基づいて、正のＸ軸方向における前側並びに正のＹ軸方向の左側）。規制部Ａ４は、実質的に角部１１１ａに対して傾斜し、つまり、同時に収容凹部１１１の２つの隣接した内側側壁に対して傾斜する（図３における直交座標系Ｘ−Ｙ−Ｚに基づいて、正のＹ軸方向の左側並びに負のＸ軸方向の後側）。従って、第１の金具１２０Ａ及び１２０Ｂをそれぞれ備える第１のボディ１１０は、Ｘ−Ｙ平面における相互の規制効果、つまり、２次元的な規制を発揮し、第１の金具１２０Ａ及び１２０Ｂが第１のボディ１１０に対して安定して位置決めされる。
【００４２】
本開示の実施の形態においては、図示する収容凹部１１１の角部１１１ａは、フィレットである。しかしながら、本開示の実施の形態は、本開示の角部の種類を限定するものではない。図示しない他の実施の形態においては、角部は、面取りされているあるいは直角であってよい。規制部は、角部において形成される構造に当接するように、その形状を変更することができ、それによって２次元的な規制を発揮する。
【００４３】
図４及び図５は、それぞれ、図１のレセプタクルコネクタの局部的な断面図であり、図４は、線分Ａ−Ａ’に沿ったレセプタクルコネクタの３次元の斜視図であり、図５は、線分Ｂ−Ｂ’に沿ったレセプタクルコネクタの３次元の斜視図である。図３から図５を参照すると、本開示の実施の形態においては、第１の金具１２０Ａ及び１２０Ｂは、側板１２１と、側板１２１から延伸する一対の翼板１２２及び１２３と、を備える。規制部Ａ４は、側板１２１と翼板１２２との間に位置する。規制部Ａ５は、側板１２１と翼板１２３との間に位置する。更に、第１の金具１２０Ａ及び１２０Ｂは、さらに、一対の上板１２４及び１２５を備える。上板１２４は、側板１２１と翼板１２２との間に接続され、上板１２５は、側板１２１と翼板１２３との間に接続される。対応して、第１のボディ１１０は、外側凹部１１２ａ、１１２ｂ、及び１１２ｃを有する。第１のボディ１１０に対して第１の金具１２０Ａ及び１２０Ｂを組み付けられると、上板１２４及び１２５が第１のボディ１１０の上面１１４ａ及び１１４ｂにそれぞれ支持されるように、側板１２１が外側凹部１１２ａに埋め込まれ、翼板１２２及び１２３が外側凹部１１２ｂ及び１１２ｃにそれぞれ埋め込まれる。この時、規制部Ａ４は、上板１２４から収容凹部１１１に延伸し、第１のボディ１１０をロックする。規制部Ａ５は、上板１２５から収容凹部１１１に延伸し、第１のボディ１１０をロックする。もちろん、本開示の実施の形態に係る側板１２１並びに翼板１２２及び１２３は、規制部Ａ４及びＡ５と一致し、Ｘ−Ｙ平面上における第１の金具及び第１のボディ１１０の２次元的な規制効果を向上する。また、規制部Ａ４及びＡ５が第１のボディ１１０をロックすると、コネクタアセンブリ１０の挿入及び除去における第１のボディ１１０の膨張によって第１の金具１２０Ａ及び１２０Ｂが翼板１２２及び１２３において容易に壊れる状況を効果的に防止することができる。
【００４４】
本開示の実施の形態においては、側板１２１、上板１２４及び１２５、翼板１２２及び１２３は、それぞれ、異なる平面上に位置し、当該平面は互いに直交する。図３に示すように、側板１２１は、Ｘ−Ｚ平面上に（平行に）位置し、上板１２４及び１２５は、Ｘ−Ｙ平面上に（平行に）位置し、翼板１２２及び１２３は、Ｙ−Ｚ平面上に（平行に）位置する。従って、第１のボディ１１０に対して第１の金具１２０Ａ及び１２０Ｂを安定して位置決めすることができる。
【００４５】
一方、第１の金具１２０Ａ及び１２０Ｂは、それぞれ、一対の第１の導電部Ａ１及びＡ２並びに第２の導電部Ａ３を備える。第１の導電部Ａ１及びＡ２は、同軸上に、互いに対向して位置する。（第１の金具１２０Ａの第１の導電部Ａ１及びＡ２は、軸Ｘ１上に位置する。第１の金具１２０Ｂの第１の導電部Ａ１及びＡ２は、軸Ｘ２上に位置する。軸Ｘ１及び軸Ｘ２は、それぞれ、直交座標Ｘ−Ｙ−ＺのＸ軸と平行である。軸Ｘ１（または軸Ｘ２）上の第２の導電部Ａ３の正射影は、第１の導電部Ａ１及びＡ２の間に位置する。
【００４６】
更に、第１のボディ１１０に対応して側板１２１並びに翼板１２２及び１２３を配置することで、第１の導電部Ａ１及びＡ２は、翼板１２２及び１２３から第１のボディ１１０とそれぞれ交差し、収容凹部１１１まで延伸するサドル１１３ｂ及び１１３ｃとして考慮することができる。第２の導電部Ａ３は、側板１２１から第１のボディ１１０と交差し、収容凹部１１１まで延伸するサドル１１３ａとして考慮することができる。規制部Ａ４及びＡ５は、それぞれ、第２の導電部Ａ３と第１の導電部Ａ１及びＡ２との間に位置する。
【００４７】
レセプタクルコネクタ１００がプラグコネクタ２００と結合された際に電流伝送フローを増加させるために、本開示の実施の形態に係る第１の導電部Ａ１及びＡ２並びに第２の導電部Ａ３は、実質的に収容凹部１１１まで延伸してその上に吊され、それによって複数のフレキシブル部を形成する。また、第１の導電部Ａ１及びＡ２が第１のボディ１１０から離れているため、その面積は徐々に拡大する状態を示す。加えて、第１のボディ１１０にロックすべき規制部Ａ４とは異なり、本開示の実施の形態に係る第１の導電部Ａ１及びＡ２は、サドル１１３ｂ及び１１３ｃから収容凹部１１１に延伸する場合、収容凹部１１１の内側側壁から徐々に離れる。第２の導電部Ａ３は、そのフレキシブル部の、Ｘ−Ｙ平面に対してサドル１１３ａを傾ける、という特徴を維持可能である。同時に、第１の導電部Ａ１及びＡ２並びに第２の導電部Ａ３は、略同一平面（Ｘ−Ｙ平面）上にある。これについては、プラグコネクタ２００についての後述する説明においてさらに詳細に説明する。
【００４８】
図３を再度参照すると、本開示の実施の形態においては、第１の金具１２０Ａ及び１２０Ｂは、第１のボディ１１０を貫通する少なくとも１のスパイクを備え、第１の金具１２０Ａ及び１２０Ｂの第１のボディ１１０に対する固定強度を増加させる。具体的には、側板１２１並びに翼板１２２及び１２３は、それぞれ、スパイク１２１ａ、１２２ａ及び１２３ａを有し、従って、第１の金具１２０Ａ及び１２０Ｂは、スパイク１２１ａ、１２２ａ及び１２３ａを介して破壊的な手法で、第１のボディ１１０の外側凹部１１２ａ、１１２ｂ及び１１２ｃに挿入され、それによって第１のボディ１１０の３つの隣接する辺に対して側板１２１並びに翼板１２２及び１２３を組み付ける（固定する）。同様に、第１の端子１３０は、第１の端子１３０と第１のボディ１１０との間の結合力を向上するために、第１のボディ１１０に組み付けられる際に、破壊的な手法で第１のボディ１１０に挿入されるスパイク１３１を備える。
【００４９】
図６は、コネクタアセンブリのプラグコネクタの部材の一部の分解図を示す。図１及び図２を基準にして直交座標系Ｘ−Ｙ−Ｚを示し、また、２つの部材が互いに結合される状態と合致するように、レセプタクルコネクタ１００の反対の視野角から図示する。図６を参照すると、本開示の実施の形態においては、プラグコネクタ２００は、第２のボディ２１０と、複数の第２の端子２３０と、一対の第２の金具２２０Ａ及び２２０Ｂと、を備える。第２の端子２３０は、第２のボディ２１０上に配置され、サドル２１４によって実質的に担持される。同時に、第２の端子２３０は、第２のボディ２１０の中央溝２１１から延伸し、固定部分となる。第２の端子２３０は、プラグコネクタ２００及びレセプタクルコネクタ１００が（図３から図５に示す）結合される際に島構造１１５が中央凹部２１１に容易に挿入されるように、第２の金具２２０Ａと２２０Ｂとの間に位置する。第２のボディ２１０のサドル２１４は、収容凹部１１１に挿入される、つまり、第２の端子２３０の固定部分が第１の端子１３０のフレキシブル部を連続的に押して変形させるように、プラグコネクタ２００及びレセプタクルコネクタ１００が互いに埋め込まれる。
【００５０】
図７は、プラグコネクタ及びレセプタクルコネクタの局部的な断面図を示す。図７と共に図６を参照すると、第１の金具１２０Ａ及び１２０Ｂと同様に、本開示の実施の形態に係る第２の金具２２０Ａ及び２２０Ｂは、互いに同一の構造を有し、従って、同一の参照番号で示す。更に、第２の金具２２０Ａ及び２２０Ｂは、それぞれ、第２のボディ２１０の外側側面の表面に固定的に埋め込まれた一対の第３の導電部Ｂ１及びＢ２並びに第４の導電部Ｂ３、つまり、第２のボディ２１０に隣接する外側溝２１２ａ、２１２ｂ、及び２１２ｃを備える。ここで、Ｚ軸（またＹ軸）に沿って、第３の導電部Ｂ１及びＢ２と、外側溝２１２Ａ及び２１２Ｂとの間には、非傾斜がある。従って、第２のボディ２１０に対して第２の金具２２０Ａ及び２２０Ｂが組み付けられた後、第２の金具２２０Ａ及び２２０Ｂは、第２のボディ２１０から取り外され、非傾斜を介して落下することが防止され得る。
【００５１】
しかしながら、レセプタクルコネクタ１００とは異なり、第３の導電部Ｂ１及びＢ２並びに第４の導電部Ｂ３は、第２のボディ２１０に対して固定部分である。つまり、第３の導電部Ｂ１及びＢ２並びに第４の導電部Ｂ３は、第２のボディ２１０と一体化されて堅固な（弾性なしの）構造となる。これにより、プラグコネクタ２００及びレセプタコネクタ１００が互いに結合される際、固定部分として作用する第３の導電部Ｂ１及びＢ２は、それぞれ、フレキシブル部として作用する第１の導電部Ａ１及びＡ２に当接して変形させる。第４の導電部Ｂ３は、フレキシブル部として作用する第２の導電部Ａ３に当接して変形させる。図７に示すように、第３の導電部Ｂ１及びＢ２の接触面Ｂ１１及びＢ２１は、第１の導電部Ａ２及びＡ１の接触面Ａ２１及びＡ１１に当接し、第１の導電部Ａ２及びＡ１を変形させるように構成される。この時、第１の導電部Ａ１及びＡ２並びに第３の導電部Ｂ１及びＢ２は、同一軸（軸Ｘ１及びＸ２）上に位置する。軸（軸Ｘ１及びＸ２）上の第２の導電部Ａ３及び第４の導電部Ｂ３の正射影は、第１の導電部Ａ１及びＡ２と、第３の導電部Ｂ１及びＢ２との間に位置する。第１の導電部Ａ１及びＡ２、第２の導電部Ａ３、第３の導電部Ｂ１及びＢ２、並びに第４の導電部Ｂ３は、同一の平面（Ｘ−Ｙ平面）上に配置される。
【００５２】
従って、レセプタクルコネクタ１００の第１の金具１２０Ａ及び１２０Ｂは、第１の導電部Ａ２及びＡ１並びに第２の導電部Ａ３を備える。プラグコネクタ２００の第２の金具２２０Ａ及び２２０Ｂは、第３の導電部Ｂ１及びＢ２並びに第４の導電部Ｂ３を備える。従って、これら２つが結合されると、レセプタコネクタ１００及びプラグコネクタ２００の電気的接触面積が、それらの導電部の相互の当接によって向上し得る。つまり、コネクタアセンブリ１０が大電流伝送環境に直面した際、コネクタアセンブリ１０は、求められる仕様に成功裏に適合して用いることができる。また、本開示の実施の形態に係るコネクタアセンブリ１０は、上記の使用環境に直面することが求められなくても適用可能である。従って、レセプタクルコネクタ１００、プラグコネクタ２００、及びコネクタアセンブリ１０は、良好な適用範囲を有する。同時に、第１の金具１２０Ａ及び１２０Ｂ並びに第２の金具２２０Ａ及び２２０Ｂの材料を変更することで、コネクタアセンブリ１０は、異なる伝送電流及び信号に適合し得る。
【００５３】
本開示の実施の形態においては、第２の金具２２０Ａ及び２２０Ｂは、それぞれ、第２のボディ２１０の角部２１５に対して傾斜する規制部Ｂ４を備える。図６に示すように、第２の金具２２０Ａ及び２２０Ｂは、それぞれ、側板及び一対の翼板を備える。側板は、第４の導電部Ｂ３であり、翼板は、第３の導電部Ｂ１及びＢ２である。規制部Ｂ４は、例えば、側板と翼板との間（つまり、第３の導電部Ｂ１と第４の導電部Ｂ３との間）の中空部分であり、第２のボディ２１０の凸構造を有する角部２１５と相互に埋め込まれ、２次元的な規制を発揮する。つまり、第２の金具２２０Ａ及び２２０Ｂ並びに第２のボディ２１０を有することで、Ｘ−Ｙ平面上で規制効果を発揮することができ、第２の金具２２０Ａ及び２２０Ｂを第２のボディ２１０に安定して組み付けることが容易になる。
【００５４】
以上より、本開示の上記の実施の形態においては、基板間コネクタは、ボディと、複数の端子と、一対の金具と、を備え、ボディは、別の基板間コネクタとの結合を容易とする収容凹部を有する。各金具は、ボディに配置され、収容凹部の横に位置する。また、各金具は、収容凹部まで延伸する、少なくとも１つの規制部を備える。収容凹部の角部に対して規制部を設置及び傾斜することで、規制部は、実質的に収容凹部の異なる内壁に対して傾斜し、金具とボディとの間で２次元的な規制が発揮する。
【００５５】
換言すると、ボディに金具を組み付けた後、規制部と収容凹部を介して発揮される２次元的な規制により、ボディに対する金具の組み付けの構造的強度が向上し得る。また、金具は、より安定してボディに配置され、それにより、金具は、挿入あるいは取り外しの際に落下、さらには破壊されることが防止され、ひいては、基板間コネクタの構造的強度並びに耐用年数が効果的に向上する。
【図１】
0003224643.tif 000003
【図２】
0003224643.tif 000004
【図３】
0003224643.tif 000005
【図４】
0003224643.tif 000006
【図５】
0003224643.tif 000007
【図６】
0003224643.tif 000008
【図７】
0003224643.tif 000009